(57)【要約】【課題】構造が簡単で組立てが一層容易であるとともに、比較的重量物の物品を弾性的に確実に包装できるようにした物品の包装装置の出現が要望される。【解決手段】四角形の箱形をなし、一面を開放面とし、これに対向する他面を窓状に開口するとともにこの開口に透明な伸縮性の弾力シートを張り渡してなる包装面とし、この包装面の周縁に２対の起立片を形成するとともに、１対の起立片に連設した補強片を前記他の対の起立片と重合するようにし、その起立片と補強片とにはそれぞれ相互に係合して起立片の強度を高めるための連結係合用の切込を形成することによって、組立工程を簡便にした物品の包装装置。【選択図】  図１
2010042854.tif 000002
【特許請求の範囲】
【請求項１】
四角形の箱形をなし、一面を開放面とし、これに対向する他面を窓状に開口するとともにこの開口に伸縮性の弾力シートを張り渡してなる包装面とし、この包装面の周縁に連設して２対の起立片を形成するとともに、この１対の起立片の両端部に連設して、組立状態で隣接する他の１対の起立片と重合する補強片を設け、前記重合する起立片と補強片とにはそれぞれ相互に係合する切込を形成して組立てられ、その包装面を相互に当接してその包装面の弾力シート間に物品を挟持して包装する１対の内箱と、この内箱の当接状態を保持する保持体とを有することを特徴とする物品の包装装置。
【請求項２】
四角形の箱形をなし、一面を開放面とし、これに対向する他面を窓状に開口するとともにこの開口に伸縮性の弾力シートを張り渡してなる包装面とし、この包装面の周縁に連設して２対の起立片を形成するとともに、この１対の起立片の面する前記窓状開口に突出して設けられ、前記起立片の内側にほぼ平行に起立する内側起立片と、他の１対の起立片の両端部に連設して、組立状態で隣接する前記の１対の起立片と重合する補強片を設け、前記重合する起立片および前記内側起立片と前記補強片とにはそれぞれ相互に係合する切込を形成して組立てられ、その包装面を相互に当接してその包装面の弾力シート間に物品を挟持して包装する１対の内箱と、この内箱の当接状態を保持する保持体とを有することを特徴とする物品の包装装置。
【請求項３】
前記保持体は、外箱であることを特徴とする前記請求項１または２記載の物品の包装装置。
【請求項４】
前記内箱は、その一側を段ボール素材の波目に沿う方向としたことを特徴とする前記請求項１または２記載の物品の包装装置。
【請求項５】
前記内箱の窓状開口は、その縁部を緩やかな波状に形成したことを特徴とする前記請求項１または２記載の物品の包装装置。
【請求項６】
前記内箱の弾力シートは、その内箱の包装面側の外側面に熱溶着して張り渡されることを特徴とする前記請求項１または２記載の物品の包装装置。
【発明の詳細な説明】
【技術分野】
【０００１】
この発明は、物品を、簡便に、弾力的に包装することができる物品の包装装置に係り、特に、伸縮性の弾力シートを張り渡してなる包装面を相互に当接してその包装面間に物品を挟持して包装する１対の内箱であってその起立片を補強したものと、この内箱の当接状態を保持する保持体とを有する物品の包装装置に関する。
【背景技術】
【０００２】
従来、窓孔を覆うように伸縮性の弾力シートを設けた内箱を一対用意して、その弾力シート間に物品を挟持して支持し、この状態の一対の内箱を外箱に収容して包装するようにした物品の包装装置が、以下の公知文献に記載されている。
しかしながら、これらの公知の包装装置の内箱の構成は、通常、一枚の段ボールや板紙を用いて箱形に組立てられており、この組立で構成される内箱の起立片は、窓孔を臨む周壁として包装される物品の荷重を受けるものであるが、単一層からなる段ボールや板紙の肉厚によるものでは、比較的重量の大きい、例えばパソコン等の重量物品を保持するには、必ずしも強度的に充分でなかった。そのために、内箱の強度を高める手段として、段ボールや板紙の肉厚を厚くしたのでは全体として高価となり、さらには、その強度を増すための構成が工夫されているが、構造上複雑となり、組立工程や作業が煩雑となる欠点があった。
【０００３】
【特許文献１】特開平７−３３００３４号
【特許文献２】特開２０００−２６４３６８号
【特許文献３】特開２００７−２９０７４１号
【特許文献４】登録実用新案第３０６２２２０号
【発明の開示】
【発明が解決しようとする課題】
【０００４】
この発明は、従来の物品の包装装置の欠点を除去して、上述したような問題点を解決するためになされたもので、構造が簡単で、組立てが比較的に容易である物品の包装装置を提供しようとするものである。
すなわち、四角形の箱形をなし、一面を開放面とし、これに対向する他面を窓状に開口するとともにこの開口に伸縮性の弾力シートを張り渡してなる包装面とし、この包装面の周縁に２対の起立片を形成するとともに、１対の起立片に連設した補強片を前記他の１対の起立片と重合するようにし、その起立片と補強片とにはそれぞれ連結係合用の切込を形成して、相互に係合して起立片の強度を高めて、組立工程を簡便にした物品の包装装置を提供するものである。
【課題を解決するための手段】
【０００５】
したがって、この発明は、第１に、四角形の箱形をなし、一面を開放面とし、これに対向する他面を窓状に開口するとともにこの開口に伸縮性の弾力シートを張り渡してなる包装面とし、この包装面の周縁に連設して２対の起立片を形成するとともに、この１対の起立片の両端部に連設して、組立状態で隣接する他の１対の起立片と重合する補強片を設け、前記重合する起立片と補強片とにはそれぞれ相互に係合する切込を形成して組立てられ、その包装面を相互に当接してその包装面の弾力シート間に物品を挟持して包装する１対の内箱と、この内箱の当接状態を保持する保持体とを有するようにした物品の包装装置である。
【０００６】
第２に、この発明は、前記発明の構成に加えて、１対の起立片の面する前記窓状開口に突出して設けられ、前記起立片の内側にほぼ平行に起立する内側起立片と、他の１対の起立片の両端部に連設して、組立状態で隣接する前記１対の起立片と重合する補強片を設け、前記重合する起立片および前記内側起立片と前記補強片とにはそれぞれ相互に係合する切込を形成して組立てた内箱を設けたものである。
【０００７】
また、前記保持体は、外箱である物品の包装装置である。
さらに、前記内箱は、ほぼ四角形であって、その一側を段ボール素材の波目に沿う方向とした物品の包装装置である。
また、前記内箱の窓状開口は、その縁部を緩やかな波状に形成した物品の包装装置である。
さらにまた、前記内箱の弾力シートは、その内箱の包装面側の外側面に熱溶着して張り渡される物品の包装装置である。
【発明の効果】
【０００８】
したがって、この発明は上記のような構成によって、構造が簡単で、組立てが比較的に容易であるとともに、起立片の強度を高めた物品の包装装置を提供し得るものである。
【発明を実施するための最良の形態】
【０００９】
以下に、この発明に係る物品の包装装置の一実施例について、図面を参照して説明する。
この物品の包装装置は、組合せて使用される１対の内箱１、１の１つのみを図示している斜視図である図１に示されるように、緩衝機能、すなわち弾力的支持機能を有するとともに、補強された起立片を有する内箱１を、１対使用するものであって、詳述するように、その包装面を当接して配置し、その内箱１、１間に、例えばポータブルパソコンのような比較的重量物の物品Ｐを緩衝して弾力的に包装した状態で、保持体、すなわち後述する外箱２内に収納することによって、包装するようにしたものである。
【００１０】
すなわち、この内箱１、１は、それぞれ、ほぼ同形であるので、一方のみについて説明すると、内箱１は、図２の展開図に示されるように、波目Ｗを有するほぼ四角形の段ボール材Ｍから、長辺の一側縁を波目Ｗの方向に沿って型どられて、図１に示されるような、ほぼ四角形をなす扁平な形状の箱形に組立てられる。すなわち、四角形の段ボール材Ｍの中央には窓状開口３を形成して、窓枠３Ａ状の包装面４が形成される。この窓状開口３の内縁部はその角部も含めて緩やかな波状に形成されて意匠的な美観を向上するとともに、応力集中によって窓枠３Ａの強度が低下することがないようにされている。さらに、この内縁部が直線状である場合には、その鋭敏な縁で作業者が手指を傷する恐れがあるが、この波状の内縁部によってそれを防止することができる。また、角部は、明瞭には図示していないが、窓状開口３側から凸または凹に比較的大きな円で形成しておけば同様に強度が維持できる。
【００１１】
また、この包装面４の２つの平行な側縁から、それぞれ短辺、長辺の折線５、６を介してそれぞれ起立片７、８が形成され、一面９を開放面とした四角形の扁平な箱形の内箱１、１が、段ボール材Ｍの型どりから、図３に示されるような組立の一工程を経て形成される。
すなわち、この起立片７は、それぞれ中央部にその起立高さＨを規定する中央起立部１０が形成されるとともに、その両端部にはやや起立高さを低くした、端部起立部１１が形成される。そして、中央起立部１０と端部起立部１１との境界に位置する外側縁には、組立用切込１２、１２が形成される。この各切込１２は、中央起立部１０側縁は折線５に垂直に、端部起立部１１側縁は湾曲したＶ字開口となるように形成される。
【００１２】
また、各起立片８は、同様に起立高さＨを有するとともに、その両端部に補強片、すなわち、折曲げ起立部１３、１３がそれぞれ同一高さで折線１３Ａを介して延長して形成され、その各片１３、１３の先端はやや起立高さを低くするとともにその下側縁には、前記起立片７の切込１２、１２に対応する組立用切込１４、１４が形成される。この各切込１４は、前記切込１２と係合して、各片１３が起立高さＨを維持して組立てられるような切込深さであって、折線１３Ａ側縁は折線１３Ａに平行に、外端側縁はＶ字開口となるように形成される。図３にその組立の一工程を示すように、これらの切込１２と１４とは、段ボール材Ｍから折線５、６を介して、起立片７、８を起立するとともに、補強片、すなわち折曲げ起立部１３、１３を折曲げ起立して起立片７と重ね合わせて、全体を箱状に組立てて、その切込１２、１４を相互に差込んで、起立状態を保持することによって、図１に示すように、開放面９を有する扁平箱状の内箱１が堅固に組立てられる。
【００１３】
この場合に、前記折曲げ起立部１３、１３は、起立時に極力その全体が、起立片７と重合して、起立片７が全体として２層構造となる寸法に延長して形成されるのが好ましい。したがって、折曲げ起立部１３、１３の切込１４は、それぞれ極力先端に位置し、また、起立片７の切込１２、１２は、極力その中央部に接近して設けられる。さらに、図示されて明らかなように、起立片７における段ボール材Ｍの波目Ｗの方向は、起立片７の長手方向と直交しているが、補強片、すなわち、折曲げ起立部１３の段ボール材Ｍの波目Ｗの方向は、起立片７の長手方向と一致していることから、起立片７が補強片１３によって、格別に補強される構成になっている。
【００１４】
前記内箱１の包装面４の外側の窓枠３Ａ面には、例えば、５０ミクロン厚のポリウレタンシートのような伸縮可能な透明な弾力性のシート１５が張り渡されて、包装面４を構成する。この弾力性シート１５は、図示されたように、組立前の段ボールＭの包装面４側の外側面の窓枠部３Ａに、図２に示されるように段ボール材Ｍから型どりされ展開された状態で、窓枠部３Ａに対して、溶着装置の加熱ヘッドにより、窓状開口３全面に渡って熱溶着されている。もちろん必要に応じて適切な接着剤を用いて接着することもできる。
【００１５】
このように構成された物品の包装装置は、以下のような工程で物品Ｐを包装する。
すなわち、包装に際しては、このように構成された一対の内箱１、１を対称的に対向配置できるように２個用意して、図４にその断面を示すように、一方の内箱１の包装面４の弾力シート１５上に、物品Ｐ、例えば電子機器のようなパソコンを配置し、その上に他方の内箱１の包装面を対向配置して両内箱１、１を相互に当接することによって両シート１５、１５間にパソコンを弾性的に挟圧固定して支持し、この状態で1対の内箱１、１を、保持体である外箱２に内に収容することによって、パソコンは、安定して弾性的に支持され、包装を完了する。この実施例における内箱１、１の弾力シートは、透明であるから、包装作業において、そのシート１５を介して物品Ｐを視認できるので、作業が容易であるばかりでなく、包装後も、内箱の外側から物品Ｐを視認できるので、扱い易い。
【００１６】
なお、上述の実施例においては、１対の内箱１、１の保持体として外箱２を用いているが、包装状態の外観等で支障がなければ、１対の内箱１、１をその側面間に貼着した接着テープで相互に結合して保持することも可能であり、また、外箱に代えて帯状鞘を用いて、これに挿入して保持することも可能である。この帯状鞘は強靭なゴムバンドのような伸縮可能なものでもよいことはもちろんである。
【００１７】
つぎに、内箱１、１の起立片７を一層補強する構成を有するこの発明の他の実施例について説明する。
図５、６に図示される物品の包装装置は、前記実施例において、起立片７に対して補強片１３を重合して補強した発明の構成に加えて、さらに第２の起立片、すなわち、内側起立片を追加的に形成して一層補強するようにしたものである。
以下、前記実施例と同一部分には同一符号を付して、説明は省略する。詳述すれば、起立片７に対応する窓状開口３の窓枠３Ａの内縁から連設してその窓状開口３側に突出して第２の起立片、すなわち、内側起立片１６が型どられて、形成される。この内側起立片１６は、前述した起立片７と同様に、その中央起立部１７を前記起立片７の中央起立部１０の起立高さＨと同一高さとし、またその両端起立部１８の高さを前記起立片７の両端部起立部１１のそれよりやや高く形成してある。そして、その中央起立部１７と両端起立部１８との間に位置して、その外縁側に開口する組立用切込１９、１９が形成される。この各切込１９も前述の各起立片７の切込１２と同様な形状であるが、その切込底部には平行な側縁を形成してある。
【００１８】
さらに、この実施例における起立片７の両端起立部１１は、前述の実施例における起立片７の両端起立部１１の起立高さよりもやや低く形成されている。したがって、その間の切込１２も若干低い位置に形成されている。また、起立片８の両端部に折線１３Ａを介して連設された折曲げ起立部１３、１３、すなわち、補強片１３、１３は、その先端下側縁に、前記起立片７の切込１２、１２に対応する組立用切込２０が形成されるが、この切込２０は、図５から理解されるように、組立時に、起立片７の切込１２、１２を起立部１３が、通過ないし乗越えることができるような切込、または切欠きの形状であればよい。すなわち、切欠き２０で形成された段部２１が起立片７の切込１２を通過するように構成されている。さらに、この補強片には、前述の実施例と同様に、その先端下側縁に、前記切欠き２０よりも先端側に位置して、前記内側起立片１６の組立用切込１９に対応する切込２２が形成されている。この各切込２２も前述の各起立片１３の切込１４と同様な形状であるが、その切込底部には平行な側縁を形成してあって、組立て時に、内側起立片１６の切込１９の平行な側縁と密接に係合して、起立状態を強固に維持することができるようになっている。
なお、図６の展開図に示されるように、窓状開口３の窓枠３Ａには、内側起立片１６が型どられている状態で、弾力シート１５が張り渡されており、内側起立片１６を起立すると、窓状開口３全面に弾力シート１５が張り渡された状態が視認でき、前述の実施例と同様に、本来の弾力シート１５の機能を発揮することができることは明らかである。
【００１９】
以上の通り、この実施例における内箱１、１の組立て時には、起立片７および内側起立片１６を包装面４から直角に起立して相互に当接するようにほぼ平行に位置した状態で、それぞれの切込１２および組立用切込１９に対して、同じく直角に起立した折曲げ起立部１３、すなわち補強片１３の切込２０および切込２１を、挿通または相互に係合することによって、扁平な箱状に形成することができる。このような構成によって、内箱１の起立片７は、窓枠３Ａを介して内側起立片１６とともに連結された状態で、補強片１３とそれぞれ切込を介して係合固定されて、堅固に補強されて、しかも容易に組立てられる。このような内箱１、１を用いて、前記実施例の場合と同様に、弾力シート間に物品を支持し安定して包装することができる。
【図面の簡単な説明】
【００２０】
【図１】この発明に使用する包装用内箱の一実施例を示す斜視図である。
【図２】同じく包装用内箱の展開図である。
【図３】同じく包装用内箱の組立の一工程を示す斜視図である。
【図４】同じくこの発明の物品の包装装置の包装状態を示す断面図である。
【図５】この発明に使用する包装用内箱の他の実施例の組立の一工程を示す一部切欠き斜視図である。
【図６】同じく包装用内箱の一部切欠き展開図である。
【符号の説明】
【００２１】
１・・・内箱、    ２・・・外箱、    ３・・・窓状開口、    ３Ａ・・・窓枠部、    ４・・・包装面、    ５、６・・・折線、    ７、８・・・起立片、    ９・・・一面、    １０・・・中央起立部、    １１・・・両端起立部、    １２、１２・・・切込、    １３、１３・・・折曲げ起立部、補強片、    １４、１４・・・切込、    １５・・・弾力シート、    １６・・・内側起立部、第２起立部、    １７・・・中央起立部、    １８・・・両端起立部、    １９・・・組立用切込、    ２０・・・切込、切欠、    ２１・・・段部、    ２２・・・切込、    Ｐ・・・物品、    Ｍ・・・段ボール材、    Ｗ・・・波目、    Ｈ・・・起立高さ
【図１】
2010042854.tif 000003
【図２】
2010042854.tif 000004
【図３】
2010042854.tif 000005
【図４】
2010042854.tif 000006
【図５】
2010042854.tif 000007
【図６】
2010042854.tif 000008